(57)【要約】【課題】本発明は、便器本体をコンパクトにしかつシャワーユニットを取付けるためのスペースを確保しても、背もたれのフレームとアームレストから延設される補助フレームの二つによって背支持板を支持することによって、撓みやぐらつきのない構造強度の大きな背もたれを提供することを課題とする。【解決手段】便器本体２の後部にシャワーユニット９を取付けた構成であって、該本体２両側にはアームレスト３が取付けられ、該本体２後端部には背もたれ４が取付けられており、該背もたれ４は該本体２後端両側から立設される背もたれフレーム１１と該背もたれフレーム１１中央部に支持されている背支持板１３とからなり、更に該背支持板１３の背面には該本体２両側のアームレスト３の後端からそれぞれ延設される背もたれ補助フレーム１５が当接支持しているシャワーユニット付簡易便器１の背もたれ支持機構を提供する。【選択図】　　図１
2004097468.tif 000002
【特許請求の範囲】
【請求項１】
便器本体の後部にシャワーユニットを取付けた構成であって、該本体両側にはアームレストが取付けられ、該本体後端部には背もたれが取付けられており、該背もたれは該本体後端両側から立設される背もたれフレームと該背もたれフレーム中央部に支持されている背支持板とからなり、更に該背支持板の背面には該本体両側のアームレストの後端からそれぞれ延設される背もたれ補助フレームが当接支持していることを特徴とするシャワーユニット付簡易便器の背もたれ支持機構。
【請求項２】
該本体両側のアームレストはそれぞれ着脱可能に取付けられており、該アームレストの後端からそれぞれ延設される背もたれ補助フレームは背支持板背面に取付けられている支持パイプ内に両端から挿入され、該支持パイプ内に着脱可能に当接されている請求項１に記載のシャワーユニット付簡易便器の背もたれ支持機構。
【請求項３】
該本体両側のアームレストはアームレストフレームと該アームレストフレーム上に取付けられているアームレスト支持部とからなり、該アームレストフレームは前端部を下方に折曲げてアームレストフレームの脚部とし、後端から補助フレームが一体的に延設されており、該アームレストフレームの脚部は該便器本体上面前端部両側にそれぞれ着脱可能に取付けられている請求項２に記載のシャワーユニット付簡易便器の背もたれ支持機構。
【請求項４】
該本体前端部両側の上面にはアームレスト取付孔が設けられ、該取付孔には中間部内周に段部が形成されており、更に該段部よりも上側内周にねじ溝が形成されており、一方該アームレストフレームの脚部の下端部外周にはフランジが形成されており、該脚部の下端部のフランジよりも上側に外周にねじ溝を形成したねじ筒を嵌着した上で該脚部を該本体のアームレスト取付孔に挿入し、該フランジを該取付孔の段部に当接し、該ねじ筒を該取付孔のねじ溝に螺着して該取付孔の段部と該ねじ筒下端との間で該脚部のフランジを締付けることによって、該脚部を該取付孔に着脱可能に固定した請求項３に記載のシャワーユニット付簡易便器の背もたれ支持機構。
【請求項５】
該便器本体上面には受板が前後に摺動可能に載置されており、該受板の中央孔には便バケツが懸架支持されており、該受板を最前位置に引き出した状態で該便バケツが該シャワーユニットの洗浄ノズルに干渉されることなく上方へ取出すことが出来るように設定されている請求項１〜請求項４に記載のシャワーユニット付簡易便器の背もたれ支持機構。
【請求項６】
該シャワーユニットは該便器本体上面後部に台座を介して載置取付けられている請求項１〜請求項５に記載のシャワーユニット付簡易便器の背もたれ支持機構。
【発明の詳細な説明】
【０００１】
【発明の属する技術分野】
本発明はシャワーユニット付簡易便器の背もたれ支持機構に関する。
【０００２】
【従来の技術】
従来、図７に示すように、通常のプラスチック製の簡易便器にシャワーユニット（９Ｐ）を取付けたシャワーユニット付簡易便器（１Ｐ）として、便器本体（２Ｐ）上面の両側にアームレスト（３Ｐ）を設け、便器本体（２Ｐ）の後端部にシャワーユニット（９Ｐ）を載置した構成が一般に提供されているが、該シャワーユニット付簡易便器（１Ｐ）にあっては、背もたれが設けられていない（特許文献１参照）。
【０００３】
【特許文献１】
特開平８−２４３０５６号公報（第２−３頁、第１図、第２図）
【０００４】
【発明が解決しようとする課題】
上記従来のシャワーユニット付簡易便器（１Ｐ）では、シャワーユニット（９Ｐ）を載置するためのスペースを便器本体（２Ｐ）上面の後端部に確保しなければならないので、便器本体（２Ｐ）上面の後端部に背もたれを設ける場合に、該背もたれを強度のある厚みや太さを持ったフレームで支持する余地がないという問題があり、また、このような余地を確保すると便器本体（２Ｐ）がコンパクトにならないという問題があった。
一方、上記従来のシャワーユニット付簡易便器（１Ｐ）において、シャワーユニット（９Ｐ）を載置するためのスペースを確保しかつ便器本体（２Ｐ）をコンパクトにすると、アームレスト（３Ｐ）や背もたれの強度が十分得られず、アームレスト（３Ｐ）や背もたれが撓んだりぐらついたりして使い勝手が悪いという問題があった。
【０００５】
【課題を解決するための手段】
本発明は上記従来の課題を解決するための手段として、便器本体（２）　の後部にシャワーユニット（９）　を取付けた構成であって、該本体（２）　両側にはアームレスト（３）　が取付けられ、該本体（２）　後端部には背もたれ（４）　が取付けられており、該背もたれ（４）　は該本体（２）　後端両側から立設される背もたれフレーム（１１）と該背もたれフレーム（１１）中央部に支持されている背支持板（１３）とからなり、更に該背支持板（１３）の背面には該本体（２）　両側のアームレスト（３）　の後端からそれぞれ延設される背もたれ補助フレーム（１５）が当接支持しているシャワーユニット付簡易便器（１）　の背もたれ支持機構を提供するものである。
該本体（２）　両側のアームレスト（３）　はそれぞれ着脱可能に取付けられており、該アームレスト（３）　の後端からそれぞれ延設される背もたれ補助フレーム（１５）は背支持板（１３）背面に取付けられている支持パイプ（１６）内に両端から挿入され、該支持パイプ（１６）内に着脱可能に当接されていることが望ましい。
また、該本体（２）　両側のアームレスト（３）　はアームレストフレーム（１８）と該アームレストフレーム（１８）上に取付けられているアームレスト支持部（１９）とからなり、該アームレストフレーム（１８）は前端部を下方に折曲げて脚部（２０）とし、後端から補助フレーム（１５）が一体的に延設されており、該アームレストフレーム（１８）の脚部（２０）は該便器本体（２）　上面前端部両側にそれぞれ着脱可能に取付けられていることが望ましい。
更に、該本体（２）　前端部両側の上面にはアームレスト取付孔（２１）が設けられ、該取付孔（２１）には中間部内周に段部（２４）が形成されており、更に該段部（２４）よりも上側内周にねじ溝（２５）が形成されており、一方該アームレストフレーム（１８）の脚部（２０）の下端部外周にはフランジ（２６）が形成されており、該脚部（２０）の下端部のフランジ（２６）よりも上側に外周にねじ溝（２７）を形成したねじ筒（２８）を嵌着した上で該脚部（２０）を該本体（２）　のアームレスト取付孔（２１）に挿入し、該フランジ（２６）を該取付孔（２１）の段部（２４）に当接し、該ねじ筒（２８）を該取付孔（２１）のねじ溝（２５）に螺着して該取付孔（２１）の段部（２４）と該ねじ筒（２８）下端との間で該脚部（２０）のフランジ（２６）を締付けることによって、該脚部（２０）を該取付孔（２１）に着脱可能に固定したことが望ましい。
該便器本体（２）　上面には受板（６）　が前後に摺動可能に載置されており、該受板（６）　の中央孔には便バケツ（７）　が懸架支持されており、該受板（６）　を最前位置に引き出した状態で該便バケツ（７）　が該シャワーユニット（９）　の洗浄ノズル（８）　に干渉されることなく上方へ取出すことが出来るように設定されていることが望ましく、更に、該シャワーユニット（９）　は該便器本体（２）　上面後部に台座（１０）を介して載置取付けられていることが望ましい。
【０００６】
【作用】
本発明のシャワーユニット付簡易便器（１）　の背もたれ支持機構では、背もたれ（４）　の背支持板（１３）は、便器本体（２）　の後端両側から立設される背もたれフレーム（１１）と、アームレスト（３）　の後端からそれぞれ延設される背もたれ補助フレーム（１５）との両方によって支持される。
該本体（２）　両側のアームレスト（３）　はそれぞれ着脱可能に取付けられており、該アームレスト（３）　の後端からそれぞれ延設される背もたれ補助フレーム（１５）は背支持板（１３）背面に取付けられている支持パイプ（１６）内に両端から挿入され、該支持パイプ（１６）内に着脱可能に当接されていると、該補助フレーム（１５）を該背支持板（１３）の支持パイプ（１６）から抜き出すことにより、アームレスト（３）　の一方または両方は背もたれ補助フレーム（１５）と共に、便器本体（２）　から取外したり取付けたりすることが出来る。
該本体（２）　両側のアームレスト（３）　はアームレストフレーム（１８）と該アームレストフレーム（１８）上に取付けられているアームレスト支持部（１９）とからなり、該アームレストフレーム（１８）は前端部を下方に折曲げて脚部（２０）とし、後端から補助フレーム（１５）が一体的に延設されており、該アームレストフレーム（１８）の脚部（２０）は該便器本体（２）　上面前端部両側にそれぞれ着脱可能に取付けられていると、該アームレストフレーム（１８）の脚部（２０）を便器本体（２）　から取外せば、該アームレスト（３）　の一方または両方を便器本体（２）　から背もたれ補助フレーム（１５）と共に取外すことが出来る。
該本体（２）　前端部両側の上面にはアームレスト取付孔（２１）が設けられ、該取付孔（２１）には中間部内周に段部（２４）が形成されており、更に該段部（２４）よりも上側内周にねじ溝（２５）が形成されており、一方該アームレストフレーム（１８）の脚部（２０）の下端部外周にはフランジ（２６）が形成されており、該脚部（２０）の下端部のフランジ（２６）よりも上側に外周にねじ溝（２７）を形成したねじ筒（２８）を嵌着した上で該脚部（２０）を該本体（２）　のアームレスト取付孔（２１）に挿入し、該フランジ（２６）を該取付孔（２１）の段部（２４）に当接し、該ねじ筒（２８）を該取付孔（２１）のねじ溝（２５）に螺着して該取付孔（２１）の段部（２４）と該ねじ筒（２８）下端との間で該脚部（２０）のフランジ（２６）を締付けることによって、該脚部（２０）を該取付孔（２１）に着脱可能に固定すれば、該ねじ筒（２８）を該取付孔（２１）に螺着して締付けたり、あるいは該取付孔（２１）から取外したりして、アームレスト（３）　の一方または両方を取付けたり取外したりすることが出来る。
便器本体（２）　上面に前後摺動可能に載置されている受板（６）　に便バケツ（７）　を懸架支持し、該受板（６）　を最前位置に引き出すと、該便バケツ（７）　も該受板（６）　と共に前方に移動し、該便バケツ（７）　を上方に取出すとき、シャワーユニット（９）　の洗浄ノズル（８）　が該便バケツ（７）　に干渉しないようになる。
シャワーユニット（９）　を該便器本体（２）　に台座（１０）を介して載置して取り付ければ、該便器本体（２）　の形状構造の変化にある程度対応させることが出来る。
【０００７】
【発明の実施の形態】
本発明を図１〜図６に示す一実施例によって説明する。
図１に示すように、プラスチック製の簡易便器（１）　の便器本体（２）　両側には左右一対のアームレスト（３）　が取付けられており、該本体（２）　後端部には背もたれ（４）　が取付けられている。更に、該便器本体（２）　上面の凹部（５）　には受板（６）　を介して便バケツ（７）　が懸架されており、該本体（２）　上面後部には、伸縮可能な洗浄ノズル（８）　を有するシャワーユニット（９）　が台座（１０）を介して載置され取付けられている。
【０００８】
図２および図３に示すように、該背もたれ（４）　は、該本体（２）　後端両側に着脱可能に取付けられている背もたれフレーム（１１）と、該背もたれフレーム（１１）中央部において取付板（１２）を介して支持されている背支持板（１３）とからなり、該取付板（１２）は該背支持板（１３）の背面にビス（１４）によって固定されている。
更に、該本体（２）　両側のアームレスト（３）　の後端からは背もたれ補助フレーム（１５）がそれぞれ一体的に延設されており、該背もたれ補助フレーム（１５）は該背支持板（１３）の取付板（１２）の背面に取付けられている支持パイプ（１６）内に両端から挿入され、該支持パイプ（１６）内において固定ボルト（１７）によってそれぞれ着脱可能に当接されている。
【０００９】
該本体（２）　両側のアームレスト（３）　は、アームレストフレーム（１８）と、該アームレストフレーム（１８）上に取付けられているアームレスト支持部（１９）とからなり、該アームレストフレーム（１８）は前端部を下方に折曲げて脚部（２０）とし（図１参照）、該アームレストフレーム（１８）の脚部（２０）は該便器本体（２）　上面前端部両側に設けられたアームレスト取付孔（２１）にそれぞれ着脱可能に取付けられている。
【００１０】
上記のように、簡易便器（１）　の背もたれ（４）　の背支持板（１３）は、便器本体（２）　の後端両側から立設される背もたれフレーム（１１）と、アームレスト（３）　の後端からそれぞれ延設される背もたれ補助フレーム（１５）との両方によって支持されるため、便器本体（２）　をコンパクトにしかつシャワーユニット（９）　を取付けるためのスペースを確保しても、背もたれ（４）　の撓みやぐらつきが生じることがない。
【００１１】
また、上記のようにして、該補助フレーム（１５）を該背支持板（１３）の支持パイプ（１６）から抜き出すとともに、該アームレストフレーム（１８）の脚部（２０）を便器本体（２）　から取外すことにより、アームレスト（３）　の一方または両方を背もたれ補助フレーム（１５）と共に、便器本体（２）　から取外したり取付けたりすることが出来る。
【００１２】
図４に示すように、該本体（２）　前端部両側上面のアームレスト取付孔（２１）にはスリーブ（２２）が挿着され、スリーブ（２２）下端部の係止爪（２３）によって便器本体（２）　に係止固定されている。該スリーブ（２２）中間部内周には段部（２４）が形成されており、更に該段部（２４）よりも上側内周にねじ溝（２５）が形成されている。
一方、該アームレストフレーム（１８）の脚部（２０）の下端部外周には、フランジ（２６）が取付けられており、該脚部（２０）の下端部のフランジ（２６）よりも上側には、外周にねじ溝（２７）を形成したねじ筒（２８）が嵌着されている。
【００１３】
アームレスト（３）　を便器本体（２）　に取付ける場合には、予めフランジ（２６）とねじ筒（２８）を取付けたアームレスト（３）　の脚部（２０）を、予めスリーブ（２２）を挿着したアームレスト取付孔（２１）に挿入する。そして、該ねじ筒（２８）を該取付孔（２１）のスリーブ（２２）のねじ溝（２５）に螺着することによって、該フランジ（２６）を該取付孔（２１）内のスリーブ（２２）の段部（２４）に当接させるとともに、該取付孔（２１）内のスリーブ（２２）の段部（２４）と該ねじ筒（２８）下端との間で該脚部（２０）のフランジ（２６）を締付けて、該アームレスト（３）　の脚部（２０）を該便器本体（２）　の取付孔（２１）に着脱可能に固定する。
【００１４】
このようにして、該アームレスト（３）　の脚部（２０）を該便器本体（２）　の取付孔（２１）に着脱可能に固定するので、該ねじ筒（２８）を該取付孔（２１）に螺着して締付けたり、あるいは該取付孔（２１）から取外したりすることにより、アームレスト（３）　の一方または両方を取付けたり取外したりすることが出来る。
【００１５】
図５に示すように、該便器本体（２）　上面には受板（６）　が前後に摺動可能に載置されており、該受板（６）　の中央孔には便バケツ（７）　が懸架支持されている。本実施例では、図６に示すように、シャワーユニット（９）　の洗浄ノズル（８）　を短縮させて収納し、該受板（６）　を最前位置に引き出した状態とすると、該便バケツ（７）　が該収納した洗浄ノズル（８）　に干渉されることなく上方へ取出すことが出来るように設定されている。
【００１６】
したがって、便バケツ（７）　を取出す場合には、シャワーユニット（９）　の洗浄ノズル（８）　を短縮させて収納し、該受板（６）　を最前位置に引き出すことにより、該受板（６）　と共に該便バケツ（７）　も前方に移動するため、該便バケツ（７）　を上方に取出すときに該収納した洗浄ノズル（８）　が該便バケツ（７）　に干渉することがない（図６参照）。
【００１７】
また、シャワーユニット（９）　は、該便器本体（２）　上面後部に台座（１０）を介して載置取付けられているので、台座（１０）の形状を便器本体（２）　の形状に対応させて設計することにより、該便器本体（２）　の形状構造の変化にある程度対応させることが出来る（図５および図６参照）。
【００１８】
本実施例以外、便器本体（２）　の上面には、上蓋を兼用する座板（図示せず）が取外し可能に載置されていてもよい。
その場合、シャワーユニット付簡易便器（１）　を便器として使用しないときに、該座板を該便器本体（２）　上面に載置することにより該簡易便器（１）　を椅子として用いることが出来、更に、該簡易便器（１）　の外観も非常に良好なものとなる。
【００１９】
【発明の効果】
本発明では、便器本体をコンパクトにしかつシャワーユニットを取付けるためのスペースを確保しても、背もたれのフレームとアームレストから延設される補助フレームの二つによって背支持板を支持することによって、撓みやぐらつきのない構造強度の大きな背もたれを提供することが出来る。
【図面の簡単な説明】
図１〜図６は本発明の一実施例を示すものである。
【図１】簡易便器の斜視図である。
【図２】背もたれの背面からの斜視図である。
【図３】背もたれの説明側断面図である。
【図４】アームレストの脚部を取付けた状態を示す説明側断面図である。
【図５】簡易便器の説明側断面図である。
【図６】受板を最前位置に引き出した状態を示す簡易便器の説明側断面図である。
【図７】従来のシャワーユニット付簡易便器の斜視図である。
【符号の説明】
１　　　　　　簡易便器
２　　　　　　便器本体
３　　　　　　アームレスト
４　　　　　　背もたれ
６　　　　　　受板
７　　　　　　便バケツ
８　　　　　　洗浄ノズル
９　　　　　　シャワーユニット
１０　　　　　台座
１１　　　　　背もたれフレーム
１３　　　　　背支持板
１５　　　　　背もたれ補助フレーム
１６　　　　　支持パイプ
１８　　　　　アームレスト補助フレーム
１９　　　　　アームレスト支持部
２０　　　　　脚部
２１　　　　　アームレスト取付孔
２４　　　　　段部
２５　　　　　ねじ溝
２６　　　　　フランジ
２７　　　　　ねじ溝
２８　　　　　ねじ筒
【図１】
2004097468.tif 000003
【図２】
2004097468.tif 000004
【図３】
2004097468.tif 000005
【図４】
2004097468.tif 000006
【図５】
2004097468.tif 000007
【図６】
2004097468.tif 000008
【図７】
2004097468.tif 000009